(57)【特許請求の範囲】
【請求項１】
用紙を所定の搬送方向に移動させる搬送手段と、用紙の搬送方向と直交する方向に移動可能に設けるスリッタを備え、スリッタにより用紙を所定箇所において搬送方向に沿って切断するものであって、
スリッタが手動操作によって用紙の搬送方向と直交する方向に移動するためのスライド用レバーを有し、スライド用レバーを手動操作することによるスリッタの移動時にスリッタとともに移動し、用紙の搬送に伴ってスリッタの刃が進行する予定の切断線を用紙上に直線状の光跡として形成する切断案内手段を、スリッタと一体に設けたことを特徴とする連続用紙処理装置。
【請求項２】
スライド用レバーが切断案内手段の点灯スイッチを兼ねることを特徴とする請求項１に記載の連続用紙処理装置。
【請求項３】
用紙を所定の搬送方向に移動させる搬送手段と、用紙の搬送方向と直交する方向に移動可能に設けるスリッタを備え、スリッタにより用紙を所定箇所において搬送方向に沿って切断するものであって、
スリッタが用紙の搬送方向と直交する方向に移動するための移動駆動手段を有し、移動駆動手段の操作スイッチを手動操作することによるスリッタの移動時にスリッタとともに移動し、用紙の搬送に伴ってスリッタの刃が進行する予定の切断線を用紙上に直線状の光跡として形成する切断案内手段を、スリッタと一体に設けたことを特徴とする連続用紙処理装置。
【請求項４】
移動駆動手段の操作スイッチが切断案内手段の点灯スイッチを兼ねることを特徴とする請求項３に記載の連続用紙処理装置。
【請求項５】
切断案内手段は、光源と光源光が通過するスリットを有し、スリットを通過した光源光の光ビームを用紙上に照射して直線状の光跡を形成することを特徴とする請求項１〜４のいずれか１項に記載の連続用紙処理装置。
【請求項６】
光源が有色の発光ダイオードからなることを特徴とする請求項５に記載の連続用紙処理装置。
【請求項７】
光源の電源が電池であることを特徴とする請求項５に記載の連続用紙処理装置。
【発明の詳細な説明】
【技術分野】
【０００１】
本発明は連続用紙処理装置に関し、連続用紙を順次に移送しながらその所定切断箇所を連続的に切断する技術に係るものである。
【背景技術】
【０００２】
従来、この種の装置としては、例えば図６および図７に示すものがある。図６および図７において、装置の前部側に配置したブラシ１は連続用紙２をガイド板３に沿わせるものであり、ピントラクター４は連続用紙２の幅方向の両端に形成した一定間隔の用紙送り穴にピンを係合させて連続用紙２を移送するものであり、エンコーダー５によって用紙の送り量を計測する。
【０００３】
スリッタ６はディスク状のスリッタ上刃７とスリッタ下刃８を備えており、連続用紙２の用紙送り穴を含むマージン部を切り落とすものであり、連続用紙２の幅方向の両側に配置されており、マージン部の幅に応じて連続用紙２の幅方向に移動させる。
【０００４】
バースター９は連続用紙２に予め形成されたミシン目において連続用紙２を単位用紙に切断するものであり、連続用紙２の移送方向に沿って、前ゴムローラー部１０とバーストロール部１１とセンサー部１２と後ゴムローラー部１３を順次に配置している。
【０００５】
前ゴムローラー部１０では上下に移動可能に配置する上前ゴムローラー１０ａが自重で下前ゴムローラー１０ｂに接しており、上前ゴムローラー１０ａおよび下前ゴムローラー１０ｂがピントラクター４と同一の周速で回転する。後ゴムローラー部１３では上下に移動可能に配置する上後ゴムローラー１３ａが下後ゴムローラー１３ｂとの間に微小間隙を設けて配置されており、上後ゴムローラー１３ａおよび下後ゴムローラー１３ｂが前ゴムローラー部１０よりも速い周速で回転する。
【０００６】
ピントラクター４および前ゴムローラー部１０により送り出される連続用紙２は、バーストロール部１１の上ロール１１ａおよび下ロール１１ｂの間を通り、センサー部１２の発光センサー１２ａと受光センサー１２ｂの間を通過し、後ゴムローラー部１３の上後ゴムローラー１３ａと下後ゴムローラー１３ｂの間に達する。
【０００７】
この際に、連続用紙２の先端が発光センサー１２ａと受光センサー１２ｂの間を通過して光軸を遮断することにより連続用紙２の先端位置をセンサー部１２で検知し、このタイミングでエンコーダー５によって用紙の送り量を計測し始める。
【０００８】
エンコーダー５で計測する用紙の送り量が単位用紙の天地寸法に合わせて予め設定した所定送り量に達すると、連続用紙２のミシン目がバーストロール部１１に対応する。このとき、前ゴムローラー部１０では、上前ゴムローラー１０ａが連続用紙２を介して下前ゴムローラー１０ｂに押圧され、後ゴムローラー部１３では上後ゴムローラー１３ａが連続用紙２を介して下後ゴムローラー１３ｂに押圧される。
【０００９】
そして、後ゴムローラー部１３が前ゴムローラー部１０よりも速い周速で回転することにより、両者の相対速度差の結果として前ゴムローラー部１０と後ゴムローラー部１３との間で連続用紙２を引っ張り合うことになり、バーストロール部１１が連続用紙２のミシン目に当接することでミシン目において連続用紙２が切断される。
【００１０】
この切断と同時に前ゴムローラー部１０および後ゴムローラー部１３は復動して初期状態に戻り、切断された単位用紙が排紙ローラー部１４によってコンベア（または落下式の紙受け板）１５に排出され、後続の連続用紙２が前ゴムローラー部１０によって移送されて、上述の動作が繰り返される。
【００１１】
また、特許文献１には、連続用紙加工処理装置が記載されている。これは、連続用紙を移送しながら、この移送速度に同調して回転するシリンダに取り付けられた加工部によって連続用紙を加工処理するものであり、回転駆動源に連繋された移送手段により連続用紙を移送し、変速手段により回転駆動源の回転駆動力をシリンダに回転速度を変化させて伝達し、サイズ入力手段で入力されたサイズ信号に基づいて制御手段により変速手段の変速率を制御するものである。移送手段はシートをその移送孔を利用して移送するトラクタからなり、加工部にシートのマージナル部をミシン目で切断するスリッタを設けている。
【００１２】
また、特許文献２には用紙処理装置が記載されている。これは、回転運動する排出フィンにより、用紙切断処理領域から排出される用紙の後端部を叩き落とすものであり、排出フィンの回転位置を検知する光学原点センサと、用紙送り速度を監視するエンコーダおよびエンコーダセンサと、用紙送り経路中の用紙の位置を検知する第２用紙センサとを備え、用紙が第２用紙センサの位置に達したときに、その時点の用紙送り速度に対して排出フィンがその時点であるべき位置から進んでいる、または遅れている量を算出し、その進み量または遅れ量を補正すべく排出フィンの回転速度を可変調整すべくＣＰＵで制御するものである。
【００１３】
また、この装置では、用紙の幅方向の両端に、ピントラクタ（用紙送り装置）のピンに係合するように一定間隔の用紙送り穴が形成されており、両側のピントラクタの間の間隔は用紙の幅寸法に合わせて可変調整でき、用紙の送り速度はピントラクタの回転速度によって与えられる。用紙の送り方向においてピントラクタの直後にはディスク状の刃をなすスリッタを配置しており、このスリッタは、用紙送り穴が形成されている用紙の両耳の部分（幅方向の両端部分）を切り落とすものである。
【特許文献１】特開平６−１３４６９４号公報
【特許文献２】特開平１１−１９３１７３号公報
【発明の開示】
【発明が解決しようとする課題】
【００１４】
上記した構成において、連続用紙に対するスリッタの位置は、各種の連続用紙のマージン幅に応じて予め装置に設定されており、登録されたマージン幅の中から処理対象の連続用紙のマージン幅に対応するものを選択することにより、スリッタが自動的に所定位置に移動して位置決めされる。
【００１５】
ところで、連続用紙が特殊なサイズでそのマージン幅が装置に登録されていない場合や、定形の連続用紙を特殊なサイズに加工処理する場合には、手動操作によってスリッタを位置決めする必要がある。
【００１６】
この場合に、図７に示すように、スリッタ６のスリッタ上刃７を連続用紙２の所定の切断箇所に位置決めする操作を目視によって正確に行うことは困難である。このため、スリッタ６には刃の位置を示すマーク１６を前面に表示しており、連続用紙２の切断箇所をマーク１６に位置合わせすることで、スリッタ上刃７およびスリッタ下刃８を連続用紙２の切断箇所に位置決めしている。
【００１７】
しかし、操作者が目視によって連続用紙２の切断箇所をマーク１６に正確に位置合わせするためには、操作者がマーク１６を真正面において捉える必要があり、マーク１６を斜め方向から見つめる場合には操作者が連続用紙２の切断箇所とマーク１６とが一致していると視認しても、実際には両者の位置はずれており、目視操作による位置決めにはその精度に限界があった。
【００１８】
本発明は上記した課題を解決するものであり、手動操作によるスリッタの位置決め操作を容易にかつ正確に行うことができる連続用紙処理装置を提供することを目的とする。
【課題を解決するための手段】
【００１９】
上記課題を解決するために、本発明の連続用紙処理装置は、用紙を所定の搬送方向に移動させる搬送手段と、用紙の搬送方向と直交する方向に移動可能に設けるスリッタを備え、スリッタにより用紙を所定箇所において搬送方向に沿って切断するものであって、スリッタが手動操作によって用紙の搬送方向と直交する方向に移動するためのスライド用レバーを有し、スライド用レバーを手動操作することによるスリッタの移動時にスリッタとともに移動し、用紙の搬送に伴ってスリッタの刃が進行する予定の切断線を用紙上に直線状の光跡として形成する切断案内手段を、スリッタと一体に設けたものである。
【００２０】
また、スライド用レバーが切断案内手段の点灯スイッチを兼ねるものである。
本発明の連続用紙処理装置は、用紙を所定の搬送方向に移動させる搬送手段と、用紙の搬送方向と直交する方向に移動可能に設けるスリッタを備え、スリッタにより用紙を所定箇所において搬送方向に沿って切断するものであって、スリッタが用紙の搬送方向と直交する方向に移動するための移動駆動手段を有し、移動駆動手段の操作スイッチを手動操作することによるスリッタの移動時にスリッタとともに移動し、用紙の搬送に伴ってスリッタの刃が進行する予定の切断線を用紙上に直線状の光跡として形成する切断案内手段を、スリッタと一体に設けたものである。
【００２１】
また、移動駆動手段の操作スイッチが切断案内手段の点灯スイッチを兼ねるものである。
【００２２】
また、切断案内手段は、光源と光源光が通過するスリットを有し、スリットを通過した光源光の光ビームを用紙上に照射して直線状の光跡を形成するものである。
また、光源が有色の発光ダイオードからなるものである。
【００２３】
また、光源の電源が電池からなるものである。
【発明の効果】
【００２４】
以上のように本発明によれば、操作者が目視によって用紙の切断箇所をスリッタに位置決めする際に、スリッタの刃が進行する予定の切断線を用紙上に直線状の光跡として形成することにより、用紙の切断箇所と光跡とを容易にかつ正確に位置合わせすることができ、光跡が用紙の表面上に位置することで操作者が光跡をどの角度から捉えても光跡と用紙の切断箇所との位置関係は不変であり、簡易な作業によって高精度な位置合わせを行うことができる。
【発明を実施するための最良の形態】
【００２５】
以下、本発明の実施の形態を図面に基づいて説明する。図１〜図４において、本発明の連続用紙処理装置は、その基本的な構造が図６に示したものと同様であるので、同符号を用いることで詳細な説明を省略する。
【００２６】
本発明の連続用紙処理装置３０は、連続用紙２を所定の搬送方向に移動させる搬送手段としてのピントラクター４と、連続用紙２を搬送方向と直交する用紙幅方向の所定箇所において搬送方向に沿って切断するスリッタ６を備えている。
【００２７】
ピントラクター４は、連続用紙２の両側に形成した用紙送り穴３１に係合するピン３２と、ピン３２を搬送方向へ駆動するチェーン駆動装置３３と、用紙送り穴３１とピン３２との離脱を防止するカバー３４とを備えており、カバー３４は連続用紙２を覆うセット位置と連続用紙２から離れた待機位置とにわたって揺動自在にヒンジ３５で支持している。
【００２８】
ピントラクター４は、トラクタガイドロッド３６で連続用紙２の用紙幅方向へ移動可能に支持しており、ネジ送り機構等からなるトラクタ送り装置３７で連続用紙２の用紙幅方向へ移動させる。
【００２９】
スリッタ６はディスク状のスリッタ上刃７とスリッタ下刃８（図５参照）を備えており、連続用紙２の用紙送り穴３１を含むマージン部Ａを切り落とすものであり、連続用紙２の用紙幅方向の両側にそれぞれ配置されている。各スリッタ６はマージン部Ａの幅に応じて連続用紙２の用紙幅方向、つまり連続用紙２の搬送方向と直交する方向に移動可能にスリッタガイドロッド３８で支持しており、ネジ送り機構等からなるスリッタ送り装置３９で連続用紙２の用紙幅方向へ双方スリッタ６が同期して接近、離間するように移動する。
【００３０】
スリッタ６は手動操作用のスライド用レバー４０を有し、スライド用レバー４０の押し下げ操作によりスリッタ送り装置３９とスリッタ６との連動が解除され、人力によりスリッタ６がスリッタガイドロッド３８に沿って移動自在となる。
【００３１】
スリッタ６の前面部には切断案内手段をなす光照射装置４１を設けている。光照射装置４１は、連続用紙２の搬送に伴ってスリッタ６のスリッタ上刃７、スリッタ下刃８が進行する予定の切断線を用紙上に直線状の光跡４２として形成するものであり、有色の発光ダイオードからなる光源（図示省略）と光源光が通過するスリット（図示省略）と光源の電源をなす電池を有し、スリットを通過した光源光の光ビーム４３を用紙上に照射して直線状の光跡４２を形成するものである。
【００３２】
この光照射装置４１を点灯させる点灯スイッチとしてスライド用レバー４０を兼用しており、スリッタ６を手動操作によって移動させるときにスライド用レバー４０を押し下げる操作によって光照射装置４１が点灯する。
【００３３】
光源の電源としては通常電源を使用することも可能であり、この場合に光照射装置４１は常時点灯させることもできる。
操作パネル４４には、モニターランプ４５、液晶表示部４６、モード切替ボタン４７、テンキー４８、ファンクションキー４９、クリアボタン５０、スピードボタン５１ａ、５１ｂ、スピード表示ランプ５２、スタートボタン５３、ジョグボタン５４ａ、５４ｂ、ストップボタン５５、ガイドボタン５６、５７を配置している。
【００３４】
液晶表示部４６は、単位用紙の天地サイズ、処理枚数と各種のメッセージを表示し、各モニターランプ４５は点灯によって液晶表示部４６の表示状態を示す。モード切替ボタン４７はマニュアルモードとプリセットモードを切り替えるものであり、テンキー４８によって単位用紙の天地サイズを入力する。
【００３５】
ファンクションキー４９は他のボタンとの併用によってマージン幅の選択等の各種の設定を行い、クリアボタン５０の押圧操作によって処理枚数をクリアする。スピードボタン５１ａ、５１ｂは処理速度を設定するものであり、押圧操作によって例えば７段階に速度が変化し、一方のスピードボタン５１ａの押圧によって速度が遅くなり、他方のスピードボタン５１ｂの押圧によって速度が速くなり、設定した速度をスピード表示ランプ５２で表示する。
【００３６】
スタートボタン５３の押圧操作によって処理を開始し、ストップボタン５５の押圧操作によって処理を停止し、ジョグボタン５４ａ、５４ｂの押圧操作によって低速で機械が作動し、一方のジョグボタン５４ａの押圧操作によって連続用紙２が前進し、他方のジョグボタン５４ｂの押圧操作によって連続用紙２が後進する。
【００３７】
ガイドボタン５６、５７の押圧操作によって左右のピントラクター４が同期して移動し、一方のガイドボタン５６の押圧操作によって左右のピントラクター４が離間する方向に移動し、他方のガイドボタン５７の押圧操作によって左右のピントラクター４が接近する方向に移動する。
【００３８】
以下、上記した構成の作用を説明する。ピントラクター４のカバー３４を開けた状態で、ガイドボタン５６または５７を押圧操作してトラクタ送り装置３７を駆動し、トラクタガイドロッド３６に沿ってピントラクター４を用紙幅方向へ移動させて用紙幅に相当する位置に配置する。
【００３９】
そして、連続用紙２の用紙送り穴３１をピン３２に係合させてカバー３４を閉じ、連続用紙２をセットする。連続用紙２が定形サイズでマージン部Ａのマージン幅が予め登録されたものである場合には、操作パネル４４におけるボタン操作によるマージン幅を選択することで、スリッタ送り装置３９の駆動により双方のスリッタ６がスリッタガイドロッド３８に沿って接近、離間するように用紙幅方向へ移動して所定のマージン幅に対応する位置へ配置される。
【００４０】
連続用紙２のマージン部Ａのマージン幅を手動操作で設定する場合には、図４に示すように、スライド用レバー４０を押し下げ操作し、スリッタ送り装置３９とスリッタ６との連動を解除し、スリッタ６をスリッタガイドロッド３８に沿って移動させることで任意の切断箇所の位置へ移動させる。
【００４１】
このとき、スライド用レバー４０を押し下げることで光照射装置４１が点灯し、光照射装置４１が光ビーム４３を照射して用紙上に直線状の光跡４２を形成し、光跡４２によってスリッタ６のスリッタ上刃７、スリッタ下刃８が進行する予定の切断線を用紙上に形成する。光跡４２は光照射装置４１がスリッタ６と一体に移動することで、スリッタ６の移動に追従して移動する。
【００４２】
よって、操作者が目視によって連続用紙２の切断箇所をスリッタ６に位置決めする際に、用紙の切断箇所と光跡４２とを容易にかつ正確に位置合わせすることができ、光跡４２が用紙の表面上に位置することで操作者が光跡４２をどの角度から捉えても光跡４２と用紙の切断箇所との位置関係は不変であり、簡易な作業によって高精度な位置合わせを行うことができる。
【００４３】
また、光照射装置４１はスリッタ６に内蔵した電池を光源の電源とすることで、連続用紙処理装置の本体側との間に配線が不要なり、簡略な構造となる。
次に、スタートボタン５３を押圧操作して処理を開始し、チェーン駆動装置３３の駆動によりピン３２を搬送方向へ移動させて連続用紙２を搬送し、スリッタ６のスリッタ上刃７、スリッタ下刃８によってマージン部Ａを所定のマージン幅で切断する。
【００４４】
マージン部Ａを切断した連続用紙２は、先に図５を参照して説明した操作において単位用紙に切断される。
図５は本発明の他の実施の形態を示すものである。図５において、光照射装置４１を備えた各スリッタ６は用紙の搬送方向と直交する方向に移動するための移動駆動手段をなすスリッタ送り装置３９をそれぞれ別途に備えており、本体側に各スリッタ送り装置３９を個別に操作するための操作スイッチ５８を設けている。
【００４５】
この操作スイッチは光照射装置４１の点灯スイッチを兼ねており、操作スイッチを操作することで光照射装置４１が点灯し、光照射装置４１が光ビーム４３を照射して用紙上に直線状の光跡４２を形成し、光跡４２によってスリッタ６のスリッタ上刃７、スリッタ下刃８が進行する予定の切断線を用紙上に形成する。光跡４２は光照射装置４１がスリッタ６と一体に移動することで、スリッタ６の移動に追従して移動する。
【００４６】
連続用紙２が定形サイズでマージン部Ａのマージン幅が予め登録されたものである場合には、操作パネル４４におけるボタン操作によるマージン幅を選択することで、双方のスリッタ送り装置３９が同期して駆動し、双方のスリッタ６がスリッタガイドロッド３８に沿って接近、離間するように用紙幅方向へ移動して所定のマージン幅に対応する位置へ配置される。
【図面の簡単な説明】
【００４７】
【図１】本発明の実施の形態における連続用紙処理装置の要部を示す正面図
【図２】同実施の形態における連続用紙処理装置の操作パネルを示す拡大図
【図３】同実施の形態における連続用紙処理装置のピントラクターおよびスリッタを示す斜視図
【図４】同実施の形態における連続用紙処理装置のスリッタの位置決め操作を示す斜視図
【図５】本発明の他の形態における連続用紙処理装置のピントラクターおよびスリッタを示す斜視図
【図６】従来の連続用紙処理装置の構成を示す模式図
【図７】従来の連続用紙処理装置におけるスリッタの位置決め操作を示す斜視図
【符号の説明】
【００４８】
２  連続用紙
４  ピントラクター
６  スリッタ
３０  連続用紙処理装置
３１  用紙送り穴
３２  ピン
３３  チェーン駆動装置
３４  カバー
３５  ヒンジ
３６  トラクタガイドロッド
３７  トラクタ送り装置
３８  スリッタガイドロッド
３９  スリッタ送り装置
４０  スライド用レバー
４１  光照射装置
４２  光跡
４３  光ビーム
４４  操作パネル
４５  モニターランプ
４６  液晶表示部
４７  モード切替ボタン
４８  テンキー
４９  ファンクションキー
５０  クリアボタン
５１ａ、５１ｂ  スピードボタン
５２  スピード表示ランプ
５３  スタートボタン
５４ａ、５４ｂ  ジョグボタン
５５  ストップボタン
５６、５７  ガイドボタン
５８  操作スイッチ
Ａ  マージン部
【図１】
0004766948.tif 000002
【図２】
0004766948.tif 000003
【図３】
0004766948.tif 000004
【図４】
0004766948.tif 000005
【図５】
0004766948.tif 000006
【図６】
0004766948.tif 000007
【図７】
0004766948.tif 000008